(57)【特許請求の範囲】
【請求項１】
固定基板に取付固定されている第１ガイドシャフトと、該第１ガイドシャフトに平行になるように前記固定基板に取付固定されているとともに第１ガイドシャフトと対向する面の反対側の面にラック歯が形成されている第２ガイドシャフトと、前記第１ガイドシャフトと係合する溝が形成されている第１支持アーム及び前記第２ガイドシャフトが挿通する孔が各々形成されている第２、第３支持アームによってディスクの径方向への変位を可能に支持されているとともにディスクに記録されている信号の読み取り動作を行うピックアップが搭載されているピックアップ支持部材と、該ピックアップ支持部材に搭載されているとともにピックアップの移動動作時回転駆動されるピックアップ送り用モーターと、前記ピックアップ支持部材上に回転可能に搭載されているとともに前記ピックアップ送り用モーターによって回転駆動され、且つ前記第２ガイドシャフトに形成されているラック歯と噛み合った状態にある駆動歯車とより成り、前記第２支持アーム及び第３支持アームと前記第２ガイドシャフトとの係合動作を前記ラック歯が形成されている部分を除く円形状部にて行うようにしたことを特徴とするピックアップ送り装置。
【発明の詳細な説明】
【０００１】
【発明の属する技術分野】
本発明は、ディスクに記録されている信号を読み取るピックアップの送り装置に関するものである。
【０００２】
【従来の技術】
光学式ピックアップを用いてディスクに記録されている信号の読み取り動作を行うディスクプレーヤーが普及しているが、斯かるピックアップはディスクの径方向へピックアップ送り用モーターによって移動されるように構成されている。
【０００３】
斯かるピックアップを移動させる装置としては、種々あるが外周に送り溝が設けられている軸を回転させることによって移動させるようにした技術が、実開平２−７２４７０号公報に記載されている。
【０００４】
【発明が解決しようとする課題】
ディスクプレーヤーの代表的なものとしては、ＣＤプレーヤーが良く知られているが、最近では、パーソナル型のコンピューターと組み合わせて使用するＣＤ−ＲＯＭプレーヤーが一般に普及している。斯かるＣＤ−ＲＯＭプレーヤーは、音声信号を再生するＣＤプレーヤーと異なり、信号の高速読み出し動作が要求されるため、ピックアップの移動動作を高速にて行うことが要求されている。
【０００５】
前述した公報に開示されている技術は、外周に送り溝が設けられている軸を高速にて回転させることが困難であるため、ピックアップを高速移動させることが出来ないという問題がある。斯かる問題を解決した技術としては、例えば特開平９−１９８８１１号公報に開示されているようにピックアップを支持する支持体にラック歯を形成し、そのラック歯と噛み合う歯車の回転力によってピックアップを移動させるものがある。斯かる技術によれば、高速にてピックアップを移動させることは出来るもののピックアップの移動距離は、ラック歯の長さによって決定されるため、移動距離を長くするためにはラック歯を長くする必要があり、その結果ピックアップの支持体が重くなり、ピックアップの移動動作を行うためのモーターの大型化や消費電流が大きくなるという問題がある。
【０００６】
本発明は、斯かる問題を解決したピックアップ送り装置を提供しようとするものである。
【０００７】
【課題を解決するための手段】
本発明のピックアップ送り装置は、固定基板に取付固定されている第１ガイドシャフトと、該第１ガイドシャフトに平行になるように前記固定基板に取付固定されているとともに第１ガイドシャフトと対向する面又は反対面にラック歯が形成されている第２ガイドシャフトと、前記第１及び第２ガイドシャフトによりディスクの径方向への変位を可能に支持されているとともにディスクに記録されている信号の読み取り動作を行うピックアップが搭載されているピックアップ支持部材と、該ピックアップ支持部材に搭載されているとともにピックアップの移動動作時回転駆動されるピックアップ送り用モーターと、該ピックアップ支持部材上に回転可能に搭載されているとともに前記ピックアップ送り用モーターによって回転駆動され、且つ前記第２ガイドシャフトに形成されているラック歯と噛み合った状態にある駆動歯車とより構成されている。
【０００８】
【実施例】
図１は本発明のピックアップ送り装置を示す要部の平面図、図２は本発明のピックアップ送り装置を示す要部の正面図である。
【０００９】
図において、１は固定基板２に取付固定されている円柱状の第１ガイドシャフト、３は前記第１ガイドシャフト３に平行になるように前記固定基板２に取付固定されている円柱状の第２ガイドシャフトであり、前記第１ガイドシャフト１と対向する面の反対側の面にラック歯４が形成されている。
【００１０】
５はディスクに記録されている信号の読み取り動作を行うピックアップ、６は前記ピックアップ５が搭載されているピックアップ支持部材であり、前記第１ガイドシャフト１と係合する溝７が形成されている第１支持アーム８、前記第２ガイドシャフト３が挿通する孔９及び１０が形成されている第２支持アーム１１及び第３支持アーム１２が形成されている。
【００１１】
１３は前記第２ガイドシャフト３に形成されているラック歯４と噛み合った状態にある駆動歯車であり、前記ピックアップ支持部材６の下面に固定されている支持基板１４に軸１５によって回転可能に取付られている。１６は前記支持基板１４上に軸１７によって回転可能に取付られている伝達歯車であり、前記駆動歯車１３と噛み合った状態にある。
【００１２】
１８は前記ピックアップ支持部材６上に搭載されているとともにピックアップ５の移動動作時回転駆動されるピックアップ送り用モーター、１９は前記ピックアップ送り用モーター１８の回転軸に取付固定されているモーター用歯車であり、前記伝達歯車１６と常時噛み合った状態にある。
【００１３】
斯かる構成において、ピックアップ支持部材６に形成されている第２支持アーム１１及び第３支持アーム１２と第２ガイドシャフト３との係合動作は、ラック歯４が形成されている部分を除く円形状部にて行われるように設定されている。
【００１４】
以上に説明したように本発明のピックアップ送り装置は構成されており、斯かる構成において、ピックアップ送り用モーター１８が回転すると、その回転力がモーター用歯車１９及び伝達歯車１６を介して駆動歯車１３に伝達される。前記駆動歯車１３が回転すると、該駆動歯車１３は第２ガイドシャフト３に形成されているラック歯４に噛み合った状態にあるため、ピックアップ支持部材６は第２ガイドシャフト３の軸方向、即ち矢印ＡまたはＢ方向への変位力を受けることになる。その結果、前記ピックアップ支持部材６は、第１ガイドシャフト１及び第２ガイドシャフト３によって案内且つ支持されながら矢印ＡまたはＢ方向へ移動せしめられる。従って、矢印Ａ及びＢ方向をディスクの径方向に設定することによってピックアップ５をディスクの径方向に移動させることが出来、ディスクからの信号の読み取り動作を行うことが出来る。
【００１６】
【発明の効果】
本発明のピックアップ送り装置は、ピックアップが搭載されているピックアップ支持部材をディスクの径方向へ案内するガイドシャフトにラック歯を形成するとともに該ラック歯に噛み合う駆動歯車を回転駆動するピックアップ送り用モーターを該ピックアップ支持部材上に搭載させるようにしたので、ガイドシャフトの長さを長くすることによって１つのピックアップを兼用して第１及び第２のディスク駆動部により回転駆動される各々のディスクに記録されている信号の読み取り動作等を行うように簡単に構成することが出来る。また、本発明は、第２ガイドシャフトのラック歯が形成される面を第１ガイドシャフトと対向する面の反対側にしたので、ラック歯に噛み合う駆動歯車の位置が第２ガイドシャフトの外側に配置されるので、ピックアップ送り装置の組立を容易に行うことが出来る。また、本発明は、ピックアップ支持部材を支持するべく設けられている第２支持アーム及び第３支持アームと第２ガイドシャフトとの係合動作をラック歯が形成されている部分を除く円形状部にて行うようにしたので、ピックアップ支持部材の変位動作をラック歯による影響を受けることなく円滑に行うことが出来、その結果ピックアップのディスクからの信号の読み取り特性を向上させることが出来るという利点を有している。
【図面の簡単な説明】
【図１】本発明のピックアップ送り装置を示す要部の平面図である。
【図２】本発明のピックアップ送り装置を示す要部の正面図である。
【符号の説明】
１          第１ガイドシャフト
２          固定基板
３          第２ガイドシャフト
４          ラック歯
５          ピックアップ
６          ピックアップ支持部材
１３          駆動歯車
１４          支持基板
１６          伝達歯車
１８          ピックアップ送り用モーター
１９          モーター用歯車
【図１】
0003691237.tif 000002
【図２】
0003691237.tif 000003